(57)【要約】 【課題】  弾球と球発射レールとの摺動抵抗を小さくして弾球の発射力を増強できる弾球発射装置を提供する。【解決手段】  槌先部２１により球を弾球する弾球槌２と、弾球をガイドする球発射レール３と、球発射レール３の端部上方に配置されて発射前の球を一時静止させる球静止部材４とを備えた弾球発射装置において、弾球が球発射レール３に接して移動する仮想接平面３４を想定したときに、弾球槌２の槌先部２１に、仮想接平面３４より上向きに球を弾球するための水平状の凹溝部２３を玉発射方向に向けて設けて、弾球を素早く球発射レール３から引き離す。【選択図】    図１
2006204699.tif 000002
【特許請求の範囲】
【請求項１】
槌先部により球を弾球する弾球槌と、弾球槌の近傍に配置されて弾球をガイドする球発射レールと、球発射レールの端部上方に配置されて発射前の球を一時静止させる球静止部材とを備えた弾球発射装置において、弾球が球発射レールに接して移動する仮想接平面を想定したときに、弾球槌の槌先部に、この仮想接平面より上向きに球を弾球するための凹溝部を設けたことを特徴とする弾球発射装置。
【請求項２】
凹溝部を、遊技盤面に対して垂直方向に形成された水平状で断面Ｖ字型のものとしてその開口部を球発射方向に向けたことを特徴とする請求項１に記載の弾球発射装置。
【請求項３】
槌先部を樹脂製のものとして、弾球槌の先端に挿し込み式で装着するようにしたことを特徴とする請求項１または２に記載の弾球発射装置。
【請求項４】
下向きとした弾球槌の支軸の中心を通って前記接平面に直交する仮想垂線を想定したときに、この仮想垂線より球発射方向に寄った位置に静止球の中心が位置するように、球静止部材を配設したことを特徴とする請求項１〜３の何れかに記載の弾球発射装置。
【発明の詳細な説明】
【技術分野】
【０００１】
本発明は、パチンコ機の遊技盤に球を発射するための弾球発射装置に関するものである。
【背景技術】
【０００２】
パチンコ機には遊技盤に球を発射するための弾球発射装置が備えられている。この弾球発射装置は、例えば特許文献１に示すような、槌先部により球を弾球する弾球槌と、弾球槌の近傍に配置されて弾球をガイドする案内溝が形成された球発射レールと、球発射レールの端部上方に配置されて発射前の球を一時静止させる球静止部材とを備えている。以上のように構成されたものは、槌先部を球静止部材により静止されている球に衝突させることにより球を発射することができるが、弾球は球発射レールに接して移動し、遊技盤の一側に設けられた円弧状の外側レールを介して遊技盤内に打ち込まれることになる。このように、弾球は球発射レールに接して発射されるので、球発射レールとの摺動抵抗により球の発射力が弱められたりして弾球軌道が安定しない、遊技盤を拡張して球の飛距離を長くする場合に発射力のより強い弾球発射装置が必要になるなどの問題があった。
【特許文献１】特開２００１−３５２４８号公報  (図１)
【発明の開示】
【発明が解決しようとする課題】
【０００３】
本発明は上記した従来の問題点を解決して、弾球の球発射レールとの摺動抵抗を小さくすることができる弾球発射装置を提供することを課題とする。
【課題を解決するための手段】
【０００４】
上記の課題を解決するためになされた本発明は、槌先部により球を弾球する弾球槌と、弾球槌の近傍に配置されて弾球をガイドする球発射レールと、球発射レールの端部上方に配置されて発射前の球を一時静止させる球静止部材とを備えた弾球発射装置において、弾球が球発射レールに接して移動する仮想接平面を想定したときに、弾球槌の槌先部に、この仮想接平面より上向きに球を弾球するための凹溝部を設けたことを特徴とする弾球発射装置である。
【０００５】
上記弾球発射装置において、凹溝部を、遊技盤面に対して垂直方向に形成された水平状で断面Ｖ字型のものとしてその開口部を球発射方向に向けることができ、また、槌先部を樹脂製のものとして、弾球槌の先端に挿し込み式で装着することができ、さらに、下向きとした弾球槌の支軸の中心を通って前記接平面に直交する仮想垂線を想定したときに、この仮想垂線より球発射方向に寄った位置に静止球の中心が位置するように、球静止部材を配設することができる。
【発明の効果】
【０００６】
本発明の弾球発射装置は、弾球槌の槌先部に凹溝部を設けて、球が球発射レールに接して移動する仮想接平面よりやや上向きに球を弾球するようにしたので、従来よりも弾球を球発射レールから迅速に引き離して、弾球の発射レールとの摺動抵抗を小さくすることができる。凹溝部を、水平状の断面Ｖ字型のものとしてその開口部を球発射方向に向けたので、弾球を仮想接平面よりやや上向きに発射することができる。また、槌先部を樹脂製の挿し込み式のものとしたので、弾球槌の先端に容易に装着することができる。さらに、下向きとした弾球槌の回動軸の中心を通って前記仮想接平面に直交する仮想垂線より球発射方向に寄った位置に、静止球の中心が位置するように、球静止部材を配設したので、弾球を確実に上向きに発射することができる。
【発明を実施するための最良の形態】
【０００７】
以下に図面を参照しつつ本発明の好ましい実施形態を説明する。
図１は、本発明に係る弾球発射装置を示す図である。図中１は基板であって、この基板１上に弾球槌２と球発射レール３と球静止部材４とが所要位置に配設されている。
【０００８】
弾球槌２は先端に槌先部２１が設けられており、この槌先部２１が弾球槌２の支軸２２の下方を回動するように、弾球槌２は下向きに設けられている。弾球槌２は、ゴムなどの緩衝材を有する二つのストッパー、即ち発射側ストッパー５と戻り側ストッパー６とに回動を規制されている。
【０００９】
球発射レール３はレールホルダー３１によりねじ３２で支持固定されており、また図２に示すように上側にＶ字型の案内溝３３が形成されていて、弾球をガイドする。図において３４は、弾球が案内溝３３と接して移動する仮想接平面である。
【００１０】
静止部材４は、球発射レール３の端部上方に配置され、発射方向に向かって拡幅する斜面を有している。斜面の下端が球の落下を制止して、発射前の球を所定の位置に一時静止させる。
【００１１】
上記弾球発射装置においては、弾球槌２はロータリーソレノイド(図示していない)の出力軸に支持され、非通電時には戻り側ストッパー６に当接するまで後退している。ロータリーソレノイドに通電されると弾球槌２は発射側ストッパー５に衝突するまで加速回転されて、槌先部２１が球発射レール３上に静止された球に衝突して球を発射する。球発射後の弾球槌２はストッパー５の弾発力、ロータリーソレノイドの復帰力により後退される。以上のようにして弾球槌２は繰り返し往復回動される。
【００１２】
以下に、本発明の特徴を図３、４により詳細に説明する。
本発明に係る弾球槌２の槌先部２１には、前記仮想接平面３４より上向きに球を弾球するための凹溝部２３が設けられていることを特徴とする。この凹溝部２３は、遊技盤面に対して垂直方向に形成された水平状で断面Ｖ字形のものであって、その開口部は球発射方向に向けてある。凹溝部２３は、断面を浅いＵ字形などとしてもよく、Ｖ字形に限定されない。球は、球発射レール３の案内溝３３により遊技盤面に対して前後方向の位置を規制され、当該凹溝部２３によって上下方向の位置を規制されて発射される。
【００１３】
球静止部材４は、弾球槌２の支軸２２の中心を通って前記接平面３４に直交する仮想垂線２４を想定したときに、この仮想垂線２４より球発射方向に距離Ｓ分寄った位置に静止球の中心が位置するように、配設されている。したがって、凹溝部２３を形成する下側山形部２３ａは上側山形部２３ｂより先に、静止球の中心の下側に衝突する。下側山形部２３ａが球に衝突した時点では、球と上側山形部２３ｂとの間にはわずかに隙間ｓが残存しているので、球は下側山形部２３ａによって上方に浮き上げられる。
【００１４】
弾球槌２を下向きとしたので、槌先部２１は上向きの円弧軌道を描いて回動する。したがって、図４に示すように弾球槌２の回動がさらに進んだときは、球は仮想接平面３４より上方向きに発射されることになるので、瞬時に球を球発射レール３から引き離すことができる。よって、球発射レール３の球への摺動抵抗を、仮想接平面３４上を玉が移動する場合よりも小さくすることができる。
【００１５】
なお、上記実施形態においては、弾球槌２を下向きとしたが、弾球槌２を上向きとしても、下側山形部２３ａの高さを上側山形部２３ｂより高くしたり、球の静止位置が仮想垂線２４より戻り側ストッパー６の方向に寄るように球静止部材４を配置したりすることによって、弾球を素早く仮想接平面３４より離間させることができる。また、弾球槌２が往復直線運動して弾球する方式のものである場合にも、下側山形部２３ａの高さを上側山形部２３ｂより高くすることによって、同様な効果を得ることができる。ここで、槌先部２１に、遊技盤面に対して垂直で開口部が球発射方向に向けられた凹溝部２３を形成することは必須の要件である。
【００１６】
槌先部２１をポリカーボネイト、ナイロン等の樹脂で形成する場合には、図５，６に示すように、Ｖ字形の凹溝部２３の下側に、隙間を有する弾発部２６を設けて、加速弾発するようにすることができる。また、槌先部２１をウレタンゴム、ナイロンエラストマーなどの弾性を有する材質で形成する場合には、図７に示すように、弾発部２６は特に設ける必要はない。なお、図５に示す槌先部２１は、図８に示すように、槌本体２７の先端に切削加工された嵌め込み部２８に嵌合凹部２９を差し込むことによって装着することができる。この槌本体２７はプレス加工によって形成することができる。また、図６に示す槌先部２１は、図９に示すように、槌本体２７と一体にプレス加工された嵌め込み部２８に装着することができる。なお、凹溝部２３を形成した槌先部２１は、球が上下２点で接触するため、発射への球の刻印の影響が少ない。
【００１７】
以上説明したように、本発明の弾球発射装置は、弾球槌の槌先部に玉の発射方向に向けて水平状の凹溝部を設けたので、球が球発射レールに接して移動する仮想接平面よりやや上向きに球を弾球することができる。よって、従来よりも弾球を球発射レールから迅速に引き離すことができるので、弾球軌道を安定させ、かつ弾球の発射力を増強することができる。
【図面の簡単な説明】
【００１８】
【図１】本発明に係る弾球発射装置の正面図である。
【図２】球発射レールの断面図である。
【図３】球に弾球槌が衝突する状態を示す説明図である。
【図４】球が球発射レールから浮き上がって発射される状態を示す説明図である。
【図５】槌先部の形状を示す正面図、平面図、側面図である。
【図６】槌先部の他の形状を示す正面図、平面図、側面図である。
【図７】上記とは別の形状の槌先部を示す正面図、平面図、側面図である。
【図８】図５の槌先部が挿着された弾球槌の正面図である。
【図９】図６の槌先部が挿着された弾球槌の正面図である。
【符号の説明】
【００１９】
１  基板、２  弾球槌、３  球発射レール、４  球静止部材、５  発射側ストッパー、６  戻り側ストッパー、２１  槌先部、２２  支軸、２３  凹溝部、２４  仮想垂線、２６  弾発部、２７  槌本体、２８  嵌め込み部、２９  嵌合凹部、３１  レールホルダー、３２  ねじ、３３  案内溝、３４  仮想接平面。
【図１】
2006204699.tif 000003
【図２】
2006204699.tif 000004
【図３】
2006204699.tif 000005
【図４】
2006204699.tif 000006
【図５】
2006204699.tif 000007
【図６】
2006204699.tif 000008
【図７】
2006204699.tif 000009
【図８】
2006204699.tif 000010
【図９】
2006204699.tif 000011